(57)【要約】【課題】吸気を旋回させて塵埃を分離する集塵室を備えた電気掃除機において、圧力損失や目詰まりを発生させることなく、電気掃除機の非動作時に塵埃の容積が容易に復元しないように集塵室内の塵埃を効果的に圧縮する。【解決手段】電気掃除機１００は、吸気を発生させる電動送風機６０と、吸気を電動送風機６０に導く吸気通路と、吸気通路に配置され、流入する吸気を旋回させて塵埃を分離し捕集する集塵室５０と、吸気を旋回させて塵埃を分離する旋回分離部分と分離された塵埃を捕集する集塵分室５４との間で集塵室５０内に流入する吸気を分断する、集塵室５０内に配置された仕切り板５３とを備える。電動送風機６０が駆動していないときには仕切り板５３が集塵分室５４側に移動して塵埃を圧縮するように構成されている。【選択図】図３
2009112498.tif 000002
【特許請求の範囲】
【請求項１】
吸気を発生させる電動送風機と、
吸気を前記電動送風機に導く吸気通路と、
前記吸気通路に配置され、流入する吸気を旋回させて塵埃を分離し捕集する集塵室と、
吸気を旋回させて塵埃を分離する旋回分離部分と分離された塵埃を捕集する塵埃捕集部分との間で前記集塵室内に流入する吸気を分断する、集塵室内に配置された仕切り部材とを備え、
前記電動送風機が駆動していないときには前記仕切り部材が前記塵埃捕集部分側に移動して塵埃を圧縮するように構成されている、電気掃除機。
【請求項２】
前記仕切り部材を前記集塵室内で移動させるための駆動手段をさらに備え、前記駆動手段は、前記電動送風機が駆動していないときには前記仕切り部材を前記塵埃捕集部分側に移動させて前記仕切り部材が塵埃を圧縮し、前記電動送風機が駆動しているときには前記仕切り部材を前記旋回分離部分側に移動させて前記仕切り部材が塵埃を圧縮しないように構成されている、請求項１に記載の電気掃除機。
【請求項３】
前記駆動手段は、弾性部材を含み、この弾性部材の伸張力を利用して前記仕切り部材を前記塵埃捕集部分側に移動させる、請求項２に記載の電気掃除機。
【請求項４】
前記電動送風機が駆動していないときには、前記仕切り部材の外周部が前記集塵室の内壁面に接した状態で、前記仕切り部材が回転しながら前記塵埃捕集部分側に移動して塵埃を圧縮するように構成されている、請求項１から請求項３までのいずれか１項に記載の電気掃除機。
【請求項５】
前記集塵室の底部に配置された開口を閉塞または開放することが可能な蓋部材をさらに備え、
前記電動送風機が駆動していないときには前記仕切り部材が前記塵埃捕集部分側に移動して塵埃を圧縮した状態で、前記蓋部材を開閉することができるように構成されている、請求項１から請求項４までのいずれか１項に記載の電気掃除機。
【発明の詳細な説明】
【技術分野】
【０００１】
この発明は、一般的には電気掃除機に関し、特定的にはサイクロン集塵装置等の少なくとも流入する吸気を旋回させて塵埃を分離する集塵装置を備え、捕集された塵埃を圧縮することが可能な電気掃除機に関するものである。
【背景技術】
【０００２】
少なくとも流入する吸気を旋回させて塵埃を分離する集塵装置を備えた電気掃除機として、たとえば、従来のサイクロン集塵室を備えた電気掃除機においては、塵埃をダストカップ容器の中で高速に旋回させ、遠心力により分離している。しかし、分離され捕集された塵埃は圧縮されないので、集塵室内の塵埃の蓄積量を増加させることができず、また塵埃をゴミ袋等に捨てる場合に塵埃が舞い立ちやすく、空気中に飛散するという問題があった。
【０００３】
ところで、従来から、集塵袋を備えたタイプの電気掃除機において、集塵袋内に溜まった塵埃を圧縮することができるようにしたものが、たとえば、特開平５−３１７２１５号公報（特許文献１）に記載されている。この電気掃除機では、集塵室内に収納された集塵袋の両側に、掃除機本体の側壁と対向して前後に移動可能な圧縮壁を配置し、この圧縮壁と側壁との間に形状記憶合金バネを取り付けている。
【０００４】
このように構成された電気掃除機において、掃除機本体の吸込口にホースのジョイント部を連結するとともに、温風循環口に手元パイプを連結して空気の循環路を形成して、電動送風機の排発熱を利用して集塵室内の温度を上昇させることによって形状記憶合金バネを伸張する。これにより、圧縮壁を作動させて集塵袋を両側から圧縮して袋内の塵埃を圧縮する。
【０００５】
また、サイクロン式集塵室を備えたタイプの電気掃除機において、集塵室内の塵埃を圧縮することができるようにしたものが、たとえば、特開２００６−３４０９７２号公報（特許文献２）に記載されている。この電気掃除機では、集塵室は、吸込口から延長管を経由して吸込んだ空気を旋回流にして吸込んだ塵埃を遠心分離する集塵分離室と、遠心分離された塵埃を蓄積する集塵蓄積室からなる。集塵蓄積室には、この集塵蓄積室に蓄積された塵埃を圧縮する方向と塵埃を解除する方向に摺動自在に圧縮板が配置されている。圧縮板の一部には、電動送風機の動作により集塵分離室からの旋回流が集塵蓄積室に流れ込むとともに集塵蓄積室からの上昇流が集塵分離室に流れるために連通している流路部が形成されている。すなわち、この電気掃除機では、集塵室内の吸気の流路内に圧縮板が配置されている。圧縮板の一方の側に形状記憶合金バネが取り付けられ、他方の側にバイアスバネが取り付けられている。
【０００６】
このように構成された電気掃除機において、常温状態では、バイアスバネの引っ張り力が形状記憶合金バネの引っ張り力よりも大きくなって集塵蓄積室内の塵埃を圧縮する方向に圧縮板を摺動させる。すなわち、掃除機の非動作時には圧縮板で集塵蓄積室内の塵埃を自動的に圧縮する。掃除機の動作時には形状記憶合金バネの温度が上昇し、この形状記憶合金バネの引っ張り力が大きくなって塵埃の圧縮を解除する方向に圧縮板を摺動させる。
【特許文献１】特開平５−３１７２１５号公報
【特許文献２】特開２００６−３４０９７２号公報
【発明の開示】
【発明が解決しようとする課題】
【０００７】
しかしながら、特開平５−３１７２１５号公報（特許文献１）に記載された従来の電気掃除機では、電動送風機の排発熱を利用して塵埃の圧縮が行なわれるので、電源を投入した状態、すなわち、電動送風機の駆動時に塵埃が圧縮される。このため、塵埃の圧縮が電源投入時に短時間行なわれるだけであるので、綿ゴミ等の容積が大きな塵埃は、電源が解除された後、長時間放置されると、復元してしまう。また、上記の従来の電気掃除機では、温風を循環させることによって塵埃の圧縮が行なわれるので、電動送風機を冷却することができず、塵埃の圧縮を長時間行なうと、電動送風機の温度上昇が規定値を越えるので、故障を引き起こす可能性がある。
【０００８】
一方、特開２００６−３４０９７２号公報（特許文献２）に記載された電気掃除機では、掃除機の非動作時に圧縮板で集塵蓄積室内の塵埃を自動的に圧縮することができるが、集塵室内の吸気の流路内に圧縮板が配置されているので、圧力損失や目詰まりを発生させるという問題がある。
【０００９】
そこで、この発明の目的は、吸気を旋回させて塵埃を分離する集塵室を備えた電気掃除機において、圧力損失や目詰まりを発生させることなく、電気掃除機の非動作時に塵埃の容積が容易に復元しないように集塵室内の塵埃を効果的に圧縮することである。
【課題を解決するための手段】
【００１０】
この発明に従った電気掃除機は、吸気を発生させる電動送風機と、吸気を電動送風機に導く吸気通路と、吸気通路に配置され、流入する吸気を旋回させて塵埃を分離し捕集する集塵室と、吸気を旋回させて塵埃を分離する旋回分離部分と分離された塵埃を捕集する塵埃捕集部分との間で集塵室内に流入する吸気を分断する、集塵室内に配置された仕切り部材とを備える。電動送風機が駆動していないときには仕切り部材が塵埃捕集部分側に移動して塵埃を圧縮するように構成されている。
【００１１】
この発明の電気掃除機においては、集塵室内に塵埃圧縮専用の圧縮板等を追加して設けることなく、集塵室内に流入する吸気を分断する役割を果たす仕切り部材が、電動送風機の非駆動時に塵埃を圧縮するように構成されている。このため、圧力損失や目詰まりを発生させることなく、電気掃除機の非動作時に塵埃の容積が容易に復元しないように集塵室内の塵埃を効果的に圧縮することができる。
【００１２】
この発明の電気掃除機は、仕切り部材を集塵室内で移動させるための駆動手段をさらに備えることが好ましい。この駆動手段は、電動送風機が駆動していないときには仕切り部材を塵埃捕集部分側に移動させて仕切り部材が塵埃を圧縮し、電動送風機が駆動しているときには仕切り部材を旋回分離部分側に移動させて仕切り部材が塵埃を圧縮しないように構成されていることが好ましい。
【００１３】
このように駆動手段を用いて仕切り部材を移動させることによって、電動送風機の非駆動時に塵埃を自動的に圧縮することができる。
【００１４】
また、この発明の電気掃除機において、上記の駆動手段は、弾性部材を含み、この弾性部材の伸張力を利用して仕切り部材を塵埃捕集部分側に移動させることが好ましい。
【００１５】
このように弾性部材の伸張力を利用して仕切り部材を移動させることにより塵埃を圧縮することによって、電気掃除機の非動作時において弾性部材の伸張力で常時、長時間、塵埃を加圧した状態を保持することができる。このため、短時間の塵埃の圧縮に比べて、塵埃が圧縮状態から解放されたときに復元する度合いを小さくすることができる。したがって、電気掃除機の非動作時に塵埃の容積が容易に復元しないように集塵室内の塵埃をより効果的に圧縮することができる。
【００１６】
さらに、この発明の電気掃除機において、電動送風機が駆動していないときには、仕切り部材の外周部が集塵室の内壁面に接した状態で、仕切り部材が回転しながら塵埃捕集部分側に移動して塵埃を圧縮するように構成されていることが好ましい。
【００１７】
このように構成することにより、集塵室の内壁面に付着した微細な塵埃を取り除き、集塵捕集部分側に移動させながら、塵埃を圧縮することができる。
【００１８】
さらにまた、この発明の電気掃除機は、集塵室の底部に配置された開口を閉塞または開放することが可能な蓋部材をさらに備えることが好ましい。電動送風機が駆動していないときには仕切り部材が塵埃捕集部分側に移動して塵埃を圧縮した状態で、蓋部材を開閉することができるように構成されていることが好ましい。
【００１９】
このように構成することにより、塵埃をゴミ袋等に捨てる場合に、塵埃を空気中に飛散させることなく、圧縮された状態のままで集塵室内から外へ塵埃を押し出すことができる。
【発明の効果】
【００２０】
以上のようにこの発明の電気掃除機によれば、圧力損失や目詰まりを発生させることなく、電気掃除機の非動作時に塵埃の容積が容易に復元しないように集塵室内の塵埃を効果的に圧縮することができる。
【発明を実施するための最良の形態】
【００２１】
以下、この発明の実施の形態を図面に基づいて説明する。
【００２２】
図１は、本発明の一つの実施の形態として電気掃除機の概略的な全体の構成を示す斜視図である。
【００２３】
図１に示すように、本発明の電気掃除機１００は、吸込口体１と、接続管２と、手元ハンドル３と、吸引ホース４と、電気掃除機本体５とを備える。接続管２と吸引ホース４は、吸込口体１から吸引された空気を電気掃除機本体５に供給するための供給路を構成する。吸込口体１は、電気掃除機本体５に内蔵された電動送風機６０（図２）の運転により、空気吸込口（図示しない）を介して空気を吸引する。接続管２には吸込口体１を移動させるために手元ハンドル３が取り付けられ、電気掃除機本体５には電気掃除機本体５を移動させるために大車輪６と補助輪７が取り付けられている。
【００２４】
図２は、図１に示された電気掃除機本体５の内部の概略的な全体の構成を示す断面図である。
【００２５】
図２に示すように、電気掃除機本体５は、塵埃を含む空気を吸引する吸気口５１を有する集塵室５０と、集塵室５０に接続され、吸気を発生させる電動送風機６０と、電動送風機６０を通過した吸気から微細な塵埃を除去するための微細塵除去用フィルター７０と、フィルター７０の下流側に配置され、塵埃が除去された後の空気を排出する排気口８０と、電動送風機６０等に電力を供給するための電気導線９０とを備える。吸気口５１には、吸引ホース４が接続される。集塵室５０は、吸気を電動送風機６０に導く吸気通路に配置されている。
【００２６】
図３は、図２に示された集塵室５０の内部の概略的な構成を示す斜視図である。
【００２７】
図３に示すように、ほぼ円筒状の集塵室５０の一方端には吸気口５１が配置され、他方端には排気口５６が配置されている。集塵室５０の下部には、集塵を集積させるためのダストカップ５２が設けられている。集塵室５０内には、上部に配置された円筒状の網目フィルター部５５と、下部に配置された分離ブレードによって区分された集塵分室５４と、網目フィルター部５５と集塵分室５４との間を仕切るための仕切り板５３とが設けられている。
【００２８】
このように構成された電気掃除機では、電動送風機６０が駆動されると、吸込口体１の空気吸込口より空気が吸引され、接続管２、吸引ホース４を通じて、塵埃を含む吸気が集塵室５０に送られる。集塵室５０では、矢印で示すように集塵室５０内に流入する吸気を旋回させることにより、塵埃が遠心力により空気から分離してダストカップ５２内に集積される。一方、塵埃が除去された空気は、その後、集塵室５０の網目フィルター部５５を通じて濾過されて、細塵を含む空気になる。細塵を含む空気は、矢印で示すように集塵室５０の排気口５６から排出され、電動送風機６０の上流側に配置されたフィルター（図示せず）にてさらに細かく濾過され、微細塵を含む空気になる。微細塵を含む空気は、電動送風機６０を通過した後、最後の微細塵除去用フィルター７０を通過し、超微細塵を含む空気になる。超微細塵を含む空気は、電気掃除機本体５の排気口８０から機外に排出される。
【００２９】
図３に示すように、集塵室５０内では、塵埃を含む吸気においては、矢印で示すように旋回気流Ａが発生する。仕切り板５３により分離された集塵分室５４内では矢印で示すように旋回気流Ｂが発生する。旋回気流Ｂは澱みとなり、直接に旋回気流Ａが集塵分室５４内に流入することがなく、仕切り板５３付近には矢印で示すように乱流Ｃが発生する。旋回気流Ａは乱流Ｃに接続されて、塵埃は乱流Ｃによって集塵分室５４内に分離されて捕集される。このような旋回気流Ａ、Ｂと乱流Ｃの簡易的なイメージモデルは、図４に示される。
【００３０】
このように構成されているので、流入する吸気を旋回させて塵埃を分離し捕集する集塵室５０内に配置された仕切り部材としての仕切り板５３は、吸気を旋回させて塵埃を分離する旋回分離部分としての網目フィルター部５５の周囲部分と、分離された塵埃を捕集する塵埃捕集部分としての集塵分室５４との間で、集塵室５０内に流入する吸気を分断する。
【００３１】
次に、この発明の一つの実施の形態としての集塵室の内部の構成について説明する。
【００３２】
図５はこの発明の一つの実施の形態として集塵室の内部にて仕切り板が引き上げられた状態を示す概略的な斜視図、図６はこの発明の一つの実施の形態として集塵室の内部にて仕切り板が押し下げられた状態を示す概略的な斜視図、図７はこの発明の一つの実施の形態として集塵室の内部にて仕切り板が引き上げられた状態を示す概略的な断面図、図８はこの発明の一つの実施の形態として集塵室の内部にて仕切り板が押し下げられた状態を示す概略的な断面図である。
【００３３】
図５〜図８に示すように、仕切り板５３をダストカップ５２内で移動させるための駆動手段は、駆動源としての電動リニアモータ５７と、電動リニアモータ５７の駆動部と仕切り板５３の底部５３ａとの間を連結するフック部材５９と、電動リニアモータ５７の駆動部に接続されたフック部材５９を案内する案内部５７ａと仕切り板５３の底部５３ａとの間に介在するように配置された弾性部材としての圧縮コイルばね部材５８とから構成されている。この実施の形態では、駆動手段が、円筒状の網目フィルター部５５の周囲に配置され、たとえば、円筒状の網目フィルター部５５を間に挟んで、円筒状の網目フィルター部５５の両側の外周面近傍に沿って駆動部分が延在するように配置されている。
【００３４】
このように構成された駆動手段による仕切り板５３の動作について以下に説明する。
【００３５】
図５と図７に示すように、電動送風機が駆動しているとき、すなわち、電源が投入されているとき、電動リニアモータ５７によってフック部材５９が持ち上げられて、仕切り板５３の底部５３ａが上方に位置付けられ、すなわち、仕切り板５３が引き上げられた定位置に保持されている。このとき、電動リニアモータ５７によって圧縮コイルばね部材５８は圧縮された状態で、案内部５７ａと仕切り板５３の底部５３ａとの間に保持されている。この状態のとき、仕切り板５３の底部５３ａは塵埃を圧縮しない。
【００３６】
これに対して、図６と図８に示すように、電動送風機が駆動してないとき、すなわち、電源が解除されているとき、電動リニアモータ５７には負荷が加えられていない状態であるので、圧縮コイルばね部材５８の伸張力、すなわち復元力による圧力によって仕切り板５３の底部５３ａが下方に押し下げられ、すなわち、仕切り板５３が押し下げられた状態になる。この状態のとき、仕切り板５３の底部５３ａは塵埃を圧縮する。
【００３７】
このようにして、電源供給が遮断した状態のとき、圧縮コイルばね部材５８のバネ圧によって、集塵室５０内の仕切り板５３が塵埃の圧縮を行なう方向に押し下げられるので、電気掃除機が使用されない間、そのままの状態が維持されることになる。これにより、塵埃のうち、特に大きな容積を占める綿ゴミ等が容易に復元しないように塵埃を圧縮することが可能になる。
【００３８】
たとえば、３ｇの綿ゴミの場合、その容積は圧縮によって元の容積の１／６程度に減少するが、圧縮状態から解放されると、容積が元の容積の１／２程度に復元してしまう。この場合、上記のように、電気掃除機が使用されない間、圧縮された状態が維持されると、たとえば、５分間以上、３ｇの綿ゴミが圧縮されると、圧縮状態から解放された後でも、その容積は元の容積の１／４程度に復元されるだけである。
【００３９】
また、上記の実施の形態では、集塵室５０内の吸気の流路を遮断し、圧力損失を発生させるような圧縮板を必要とせず、仕切り板５３の移動によって塵埃の圧縮が可能である。
【００４０】
以上のように上記の実施の形態では、電動送風機６０が駆動していないとき、あるいは、通電を停止するときには、仕切り板５３が塵埃捕集部分側、すなわち、集塵分室５４側に移動して塵埃を圧縮するように構成されている。すなわち、集塵室５０内に塵埃圧縮専用の圧縮板等を追加して設けることなく、集塵室５０内に流入する吸気を分断する役割を果たす仕切り板５３が、電動送風機６０の非駆動時に塵埃を圧縮するように構成されている。このため、圧力損失や目詰まりを発生させることなく、電気掃除機６０の非動作時に塵埃の容積が容易に復元しないように集塵室５０内の塵埃を効果的に圧縮することができる。
【００４１】
また、上記の実施の形態では、仕切り板５３を集塵室５０内で移動させるための駆動手段は、電動送風機６０が駆動していないときには、あるいは、通電を停止するときには、仕切り板５３を塵埃捕集部分側、すなわち、集塵分室５４側に移動させて仕切り板５３の底部５３ａが塵埃を圧縮し、電動送風機６０が駆動しているときには、あるいは、通電時には、仕切り板の底部５３ａを旋回分離部分側、すなわち、網目フィルター部５５側に移動させて仕切り板５３の底部５３ａが塵埃を圧縮しないように構成されている。このように駆動手段を用いて仕切り板５３を移動させることによって、電動送風機６０の非駆動時に塵埃を自動的に圧縮することができる。
【００４２】
さらに、上記の実施の形態では、上記の駆動手段は、弾性部材として、たとえば、圧縮コイルばね部材５８を含み、この圧縮コイルばね部材５８の伸張力を利用して仕切り板５３を塵埃捕集部分側、すなわち、集塵分室５４側に移動させている。このように圧縮コイルばね部材５８の伸張力を利用して仕切り板５３を移動させることにより塵埃を圧縮することによって、電気掃除機の非動作時において圧縮コイルばね部材５８の伸張力で常時、長時間、塵埃を加圧した状態を保持することができる。このため、短時間の塵埃の圧縮に比べて、塵埃が圧縮状態から解放されたときに復元する度合いを小さくすることができる。したがって、電気掃除機の非動作時に塵埃の容積が容易に復元しないように集塵室内の塵埃をより効果的に圧縮することができる。
【００４３】
上記の実施の形態において、電動送風機６０が駆動していないときには、仕切り板５３の外周部がダストカップ５２の内壁面に接した状態で、仕切り板５３が回転しながら塵埃捕集部分側、すなわち、集塵分室５４側に移動して塵埃を圧縮するように構成されていてもよい。このように構成することにより、ダストカップ５２の内壁面に付着した微細な塵埃を取り除き、集塵分室５４側に移動させながら、塵埃を圧縮することができる。
【００４４】
なお、上記の実施の形態では、弾性部材として圧縮コイルばね部材５８の伸張力を用いて仕切り板５３が押し下げられた状態を実現しているが、電動リニアモータ５７の駆動力のみで仕切り板５３が押し下げられた状態と引き上げられた状態を保持することも可能である。また、通電時に仕切り板５３を引き上げて定位置に保持して固定するための駆動源として、電動モータやソレノイドを用いてもよく、あるいは、通電時には電源接続用コードが引き出されているので、コードを収納するために用いられているコードリールのゼンマイを適用してもよい。
【００４５】
この発明のもう一つの実施の形態としての集塵室の内部の構成について説明する。
【００４６】
図９はこの発明のもう一つの実施の形態として集塵室の内部にて仕切り板が押し下げられ、底蓋が閉じられた状態を示す概略的な断面図、図１０はこの発明の一つの実施の形態として集塵室の内部にて仕切り板が押し下げられ、底蓋が開けられた状態を示す概略的な断面図である。
【００４７】
図９〜図１０に示すように、ダストカップ５２の底部に開口が配置されている。この開口を閉塞または開放することが可能な蓋部材の一例として、底蓋５２ａが設けられている。この底蓋５２ａの一方端部はダストカップ５２の外周底部の一方側面に固着され、他方端部は、ダストカップ５２の外周底部の他方側面に取り付けられたフック部材５２ｂに係止することによって固定されるようになっている。
【００４８】
このように構成された底蓋の動作について以下に説明する。
【００４９】
図９に示すように、通電が停止されているとき、仕切り板５３は塵埃を圧縮している状態で保持されている。ダストカップ５２の底部開口は底蓋５２ａによって閉塞されている。この状態のままで、図１０に示すように、底蓋５２ａの他方端部をフック部材５２ｂから解除すると、ダストカップ５２の底部開口は開放される。これにより、圧縮された状態の塵埃は、ダストカップ５２の外へ押し出される。したがって、塵埃は圧縮された状態のままでゴミ袋等に容易に捨てることができる。このとき、ダストカップ５２が集塵室５０の下部から取り外された状態でも塵埃が加圧されているので、ダストカップ５２の底部開口が開放されると、速やかに塵埃をダストカップ５２の外へ廃棄することができる。
【００５０】
以上のように上記の実施の形態では、集塵室５０の底部に配置された開口を閉塞または開放することが可能な蓋部材の一例として底蓋５２ａが設けられている。電動送風機６０が駆動していないときには仕切り板５３が塵埃捕集部分側、すなわち、集塵分室５４側に移動して塵埃を圧縮した状態で、底蓋５２ａを開閉することができるように構成されている。このように構成することにより、塵埃をゴミ袋等に捨てる場合に、塵埃を空気中に飛散させることなく、圧縮された状態のままで集塵室５０内から外へ、すなわち、ダストカップ５２内から外へ塵埃を押し出すことができる。
【００５１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００５２】
【図１】本発明の一つの実施の形態として電気掃除機の概略的な全体の構成を示す斜視図である。
【図２】図１に示された電気掃除機本体の内部の概略的な全体の構成を示す断面図である。
【図３】図２に示された集塵室の内部の概略的な構成を示す斜視図である。
【図４】集塵室内で生じる旋回気流と乱流の簡易的なイメージモデルを示す図である。
【図５】この発明の一つの実施の形態として集塵室の内部にて仕切り板が引き上げられた状態を示す概略的な斜視図である。
【図６】この発明の一つの実施の形態として集塵室の内部にて仕切り板が押し下げられた状態を示す概略的な斜視図である。
【図７】この発明の一つの実施の形態として集塵室の内部にて仕切り板が引き上げられた状態を示す概略的な断面図である。
【図８】この発明の一つの実施の形態として集塵室の内部にて仕切り板が押し下げられた状態を示す概略的な断面図である。
【図９】この発明のもう一つの実施の形態として集塵室の内部にて仕切り板が押し下げられ、底蓋が閉じられた状態を示す概略的な断面図である。
【図１０】この発明の一つの実施の形態として集塵室の内部にて仕切り板が押し下げられ、底蓋が開けられた状態を示す概略的な断面図である。
【符号の説明】
【００５３】
５０：集塵室、５２：ダストカップ、５２ａ：底蓋、５３：仕切り板、５３ａ：底部、５４：集塵分室、５７：電動リニアモータ、５８：圧縮コイルばね部材、５９：フック部材、６０：電動送風機、１００：電気掃除機。
【図１】
2009112498.tif 000003
【図２】
2009112498.tif 000004
【図３】
2009112498.tif 000005
【図４】
2009112498.tif 000006
【図５】
2009112498.tif 000007
【図６】
2009112498.tif 000008
【図７】
2009112498.tif 000009
【図８】
2009112498.tif 000010
【図９】
2009112498.tif 000011
【図１０】
2009112498.tif 000012